(57)【要約】【課題】受講者の区別を行なわせるための電子受講票に関するものであり、より詳細で簡単かつ確実な受講者管理を可能とすること。【解決手段】講座の開講を管理する講座管理端末１からの講座情報を受信手段３が受信し、表示制御手段４が、記憶手段５に記憶されている講座情報と照合し、一致した場合に記憶手段５に記憶されている氏名情報とともに表示手段に表示する。これにより講座開始に同期して自動的に表示項目を切り替えることができる。従って講座受講者の確認が容易に行うことが可能となるほか、表示内容が変更されるため偽造が困難となり、正規の受講者を簡単かつ確実に区別することが可能となる。【選択図】図１
2007128400.tif 000002
【特許請求の範囲】
【請求項１】
講座管理端末から無線を介して送信される講座情報を受信する受信手段と、電子受講票の所有者の氏名および受講時間割情報を記憶する記憶手段と、前記氏名および前記受講時間割情報に含まれる受講講座情報を表示する表示手段と、前記受信手段を介して受信した講座情報が前記記憶手段に記憶されている前記受講時間割情報と一致した場合に前記表示手段に前記氏名および受講講座情報を表示させる表示制御手段とを有し、
前記表示制御手段は、前記受信した講座情報が受講開始または受講中であれば表示手段への表示を開始し、受講終了であれば表示を非表示とする電子受講票。
【請求項２】
講座管理端末から無線を介して送信される講座情報を受信する受信手段と、電子受講票の所有者の氏名および受講時間割情報を記憶する記憶手段と、前記氏名および前記受講時間割情報に含まれる受講講座情報を表示する表示手段と、前記表示手段による表示を継続するための時間を計測するタイマー手段と、前記受信手段を介して受信した講座情報が前記記憶手段に記憶されている前記受講時間割情報と一致した場合に前記表示手段に前記氏名および受講講座情報を表示させる表示制御手段とを有し、
前記表示制御手段は表示開始とともに前記タイマー手段を起動し、前記タイマー手段の計時が前記受講時間割情報に含まれる講義時間を超えると表示を非表示にする電子受講票。
【請求項３】
請求項１〜２のいずれか１項記載の電子受講票の少なくとも一部をコンピュータによって実現するプログラム。
【発明の詳細な説明】
【技術分野】
【０００１】
本発明は、教育機関等において受講生を区別するための電子受講票、およびそのプログラムに関するものである。
【背景技術】
【０００２】
従来は特許文献１に記載されているような来場者管理システムが一般的であった。
【０００３】
この来場者管理システムでは所定の会場への各来場者が受講票カードとして使用するためのＩＤカードと、外手段エネルギを利用して前記ＩＤカードのリライト表示手段の表示を書き換えるための書換え手段と、前記ＩＤカードの所持人に関する更新情報を管理するための情報処理装置とを備え、前記情報処理装置は、前記書換え手段を介して、前記ＩＤカードの所持人に関する更新情報を最新の情報として前記リライト表示手段に表示させることを特徴とするように構成されている。
【０００４】
そして上記ＩＤカードにかかる情報に一部変更があっても、たとえば情報処理装置で予め管理されている更新情報に基づいて、ＩＤカードのＩＣモジュールに記憶されている情報およびリライト表示手段に表示されている情報を随時書き換える（更新する）ことができるようにようになっていた。
【特許文献１】特開２００１−３１２７１０号公報
【発明の開示】
【発明が解決しようとする課題】
【０００５】
しかしながら上記従来の来場者管理システムのような装置では、所有者の情報を最新のものに更新することは可能であっても、受講する講座に応じて表示項目を随時変更するものではなかった。表示項目の変更の必要は１人の受講者が１日に複数の講座を受講するような教育機関では、単なる名札では困難な講座ごと受講生の確認を容易に行なうために必要であった。
【０００６】
また、近年の少子化の影響で予備校等は競争が高まり、より価値の高い講座を大規模に提供する傾向にあるが、商的価値を損なわないよう、また、一方で教室の回転を早くするため正規の受講者以外の受講者を確実かつ簡単に排除する必要があった。
【０００７】
また、英会話教室等に見られるように、講義の区切りを設けずに一定時間講師との会話を持てたり、ＩＴ環境や自習ソフトを貸し出し受講生が自習するような時間制での環境提供型の講座も増加している。
【０００８】
こういった場合には講座の開始、終了が個々に異なるため受講者の資格確認をより困難にしていた。こうした受講時間管理型の場合にも容易に確認可能な受講票が必要であった。
【０００９】
このように登録された受講生を簡単に確認することが可能な受講票を提供することを本発明は目的とするものである。
【課題を解決するための手段】
【００１０】
本発明の電子受講票は上記課題を解決するため、講座管理端末から無線を介して送信される講座情報を受信する受信手段と、電子受講票の所有者の氏名および受講時間割情報を記憶する記憶手段と、前記氏名および前記受講時間割情報に含まれる受講講座情報を表示
する表示手段と、前記受信手段を介して受信した講座情報が前記記憶手段に記憶されている前記受講時間割情報と一致した場合に前記表示手段に前記氏名および受講講座情報を表示させる表示制御手段とを有し、
前記表示制御手段は、前記受信した講座情報が受講開始または受講中であれば表示手段への表示を開始し、受講終了であれば表示を非表示とする電子受講票である。
【００１１】
これにより講座の開始・終了にあわせて表示項目を切り替えることができるので講座受講者の確認が容易に行うことが可能となるほか、表示内容が変更されるため偽造が困難となり、正規の受講者を区別することが可能となる。
【発明の効果】
【００１２】
本発明の電子受講票、およびそのプログラムは、講座の開始・終了にあわせて表示項目を切り替えることができるので講座受講者の確認が容易に行うことが可能となるほか、表示内容が変更されるため偽造が困難となり、正規の受講者を区別することが可能となる。
【発明を実施するための最良の形態】
【００１３】
本発明の第１の発明である電子受講票は、講座管理端末から無線を介して送信される講座情報を受信する受信手段と、電子受講票の所有者の氏名および受講時間割情報を記憶する記憶手段と、前記氏名および前記受講時間割情報に含まれる受講講座情報を表示する表示手段と、前記受信手段を介して受信した講座情報が前記記憶手段に記憶されている前記受講時間割情報と一致した場合に前記表示手段に前記氏名および受講講座情報を表示させる表示制御手段とを有し、前記表示制御手段は、前記受信した講座情報が受講開始または受講中であれば表示手段への表示を開始し、受講終了であれば表示を非表示とする。
【００１４】
これにより開始・終了にあわせて表示項目を切り替えることができるので講座受講者の確認が容易に行うことが可能となるほか、表示内容が変更されるため偽造が困難となり、正規の受講者を区別することが可能となる。
【００１５】
また、本発明の第２の発明である電子受講票は、講座管理端末から無線を介して送信される講座情報を受信する受信手段と、電子受講票の所有者の氏名および受講時間割情報を記憶する記憶手段と、前記氏名および前記受講時間割情報に含まれる受講講座情報を表示する表示手段と、前記表示手段による表示を継続するための時間を計測するタイマー手段と、前記受信手段を介して受信した講座情報が前記記憶手段に記憶されている前記受講時間割情報と一致した場合に前記表示手段に前記氏名および受講講座情報を表示させる表示制御手段とを有し、前記表示制御手段は表示開始とともに前記タイマー手段を起動し、前記タイマー手段の計時が前記受講時間割情報に含まれる講義時間を超えると表示を非表示にする。
【００１６】
これにより、半日受講や１日受講など受講生により受講時間が異なる場合でも定められた受講時間経過後には表示が非表示となるため容易に確認が可能となる。
【００１７】
また、本発明の第３の発明では、上記第１〜２の発明の電子受講票をコンピュータによって実現するためのプログラムである。
【００１８】
そして、プログラムであるので、電気・情報機器、コンピュータ、サーバー等のハードリソースを協働させて本発明の電子受講票の少なくとも一部を容易に実現することができる。また記録媒体に記録したり通信回線を用いてプログラムを配信したりすることでプログラムの配布・更新やそのインストール作業が簡単にできる。
【００１９】
以下、本発明の実施の形態について図面を用いて説明する。なお、この実施の形態によ
って本発明が限定されるものではない。
【００２０】
（実施の形態１）
本発明の実施の形態１を用いて説明する。図１は本発明の実施の形態１の電子受講票のブロック図、図２は電子受講票の動作を示すフローチャートである。
【００２１】
図１において、１は講座管理端末、２は電子受講票、３は受信手段、４は表示制御手段、５は記憶手段、６は表示手段、７は講座表示手段、８は氏名表示手段である。講座管理端末１は講義室に設置され、講師が講座の開始・終了の操作を行う（例えばスイッチ操作など）。また、電子受講票２は各受講生が名札共用として着用している。
【００２２】
次に動作、作用について説明すると、講師が講座の開始時に講座管理端末１を操作すると、電子受講票２に向け、講座情報として講座特定情報（本実施の形態では講座名とする）を含む情報を送信する。この通信は例えば赤外線通信や小電力無線通信で行われ、講義室に入室している受講生のみが受信することが可能である。
【００２３】
この講座管理端末１から送信された講座特定情報を、電子受講票２の受信手段３が受信し、表示制御手段４に伝える。
【００２４】
一方、記憶手段５には受講票所有者の氏名および受講時間割情報があらかじめ登録され記憶されている。
【００２５】
表示手段６は講座表示部７と氏名表示部８とを有し、それぞれ表示制御手段４が記憶手段５に記憶されている講座、氏名を用いて表示する。
【００２６】
今、受講票所有者が講義室に入室し講義が開始すると、講師の操作により講座管理端末１から講座情報および講座開始の情報が電子受講票２に送信される。電子受講票２の受信手段３はこれを受信し表示制御手段４に伝える（ｓ１）。
【００２７】
表示制御手段４は時間割情報との一致を照合し（ｓ２）、一致していれば（ｓ３、ＹＥＳ）、記憶手段５に記憶した情報を基に講座表示部７、氏名表示部８に講座、氏名の表示を行う（ｓ４、ｓ５）。
【００２８】
もし、登録されていない受講票所有者がいた場合には、表示制御手段４が時間割情報との一致を照合するが（ｓ２）一致しないため（ｓ３、Ｎｏ）、講座表示部７、氏名表示部８の講座、氏名の表示を非表示とする（ｓ６、ｓ７）。このとき報知音を鳴らしてもよい。
【００２９】
この表示により、講師は着席している受講生が正規の受講生であるかいなかを確認し、講義を開始または退出を促すことが出来る。
【００３０】
（実施の形態２）
本発明の実施の形態２を説明する。電子受講票のブロック図は実施の形態１と同様であるため図１を使用する。図３は実施の形態２の電子受講票の動作を示すチャートである。受信手段３、記憶手段５、表示制御手段６の動作は先の実施の形態１（図１）と同様である。
【００３１】
次に動作、作用について説明する。
【００３２】
今、受講票所有者が講義室に入室し講義が開始すると、講師の操作により講座管理端末
１から講座情報および講座開始の情報が電子受講票２に送信される。電子受講票２の受信手段３はこれを受信し表示制御手段４に伝える（ｓ１）。
【００３３】
表示制御手段４は時間割情報との一致を照合し（ｓ２）、一致していれば（ｓ３、ＹＥＳ）、実施情報を確認し（ｓ８）、開始、終了の判断を行う（ｓ９）。
【００３４】
講座開始であれば（ｓ９、Ｙｅｓ）、記憶手段５に記憶した情報を基に講座表示部７、氏名表示部８に講座、氏名の表示を行う（ｓ４、ｓ５）。
【００３５】
また、講義が終了した場合には、講師の操作により講座管理端末１から講座情報および講座終了の情報が電子受講票２に送信される。実施情報を確認し（ｓ８）、講座終了のため（ｓ９、Ｎｏ）、記憶手段５の情報を基に講座表示部７、氏名表示部８に講座、氏名を非表示にする（ｓ４、ｓ５）。
【００３６】
仮に、登録されていない受講票所有者がいた場合には、実施の形態１と同様にして講座、氏名の表示を非表示とする（ｓ６、ｓ７）。
【００３７】
この表示により、講師は着席している受講生が正規の受講生であるかいなかを確認し、講義を開始または退出を促すことが出来る。また、開始情報により表示を開始し、終了情報により表示終了とするため、講座終了後は表示が消え、不要な場所での個人情報の開示を行なうことがなくなる。
【００３８】
また、受講者の表示状態により遅刻者の確認を容易に行なうことが出来たり（遅刻者は講座開始の情報を受信できないので氏名・属性が表示されていない）、一方、講義室外にいる受講者に対しても表示から中途放棄してサボタージュしている場合の識別が可能になる（講座開始の情報を受信したので氏名・属性が表示される。加えて、講座終了の情報を受信できないので属性の表示が消えない）等の効果がある。
【００３９】
（実施の形態３）
本発明の実施の形態３を説明する。
【００４０】
図４は電子受講票のブロック図である。実施の形態１と同等の構成のものは同一の番号を付してある。９は表示手段による表示を継続するための時間を計測するタイマー手段である。図５は電子受講票の動作を示すチャートである。表示制御手段は表示開始とともにタイマー手段を起動し、タイマー手段の計時が終了すると表示を非表示にする。
【００４１】
次に動作、作用について説明する。
【００４２】
記憶手段５には受講票所有者の氏名および、講座名と受講可能時間を含む受講時間割情報があらかじめ登録され記憶されている。また、タイマー手段９は通常非動作状態となっている（ｓ１０、Ｎｏ）。
【００４３】
今、受講票所有者が講義室に入室し講義が開始すると、講師の操作により講座管理端末１から講座情報として講座名と受講開始の情報が電子受講票２に送信される。電子受講票２の受信手段３はこれを受信し表示制御手段４に伝える（ｓ１）。
【００４４】
表示制御手段４は時間割情報との一致を照合し（ｓ２）、一致していれば（ｓ３、ＹＥＳ）、実施情報を確認し（ｓ８）、開始、終了の判断を行う（ｓ９）。
【００４５】
講座開始であれば（ｓ９、Ｙｅｓ）、記憶手段５に記憶した情報を基に講座表示部７、
氏名表示部８に講座、氏名の表示を行う（ｓ４、ｓ５）。
【００４６】
一方、前記記憶手段５に記憶されている受講可能時間をタイマー手段９に設定し、動作を開始させる（ｓ１４）。
【００４７】
タイマー手段９はタイマーのカウントを行い（ｓ１１、ｓ１２）、カウントが終了すれば（ｓ１２、ＹＥＳ）講座表示部７、氏名表示部８に講座、氏名を非表示にする（ｓ４、ｓ５）。
【００４８】
また、タイマー手段９のカウントが終了する以前でも（Ｓ１２、Ｎｏ）、講義が終了した場合には、講師の操作により講座管理端末１から講座情報および終了の情報が電子受講票２に送信される。実施情報を確認し（ｓ８）、講座終了のため（ｓ９、Ｎｏ）、講座表示部７、氏名表示部８の講座、氏名を非表示にする（ｓ４、ｓ５）。
【００４９】
このように、登録された受講者のみ講座情報、実施情報により表示、非表示を切り替えるため、講師は着席している受講生が正規の受講生であるかいなかを確認し、講義を開始または退出を促すことが出来る。
【００５０】
さらにタイマー手段を持ち、受講を許可された時間のみ表示を実施することが可能になるため、受講終了時間が受講者により異なるような場合にも、資格が終了した受講者を明確に区別することが可能となり受講者管理が容易かつ確実に行なうことが可能となる。
【００５１】
なお、本実施の形態では電子受講票に全ての手段を備える構成としたがこれに限らず、例えば、記憶手段は電子受講票の外部に備えて、受信手段（通信手段）によって通信して表示情報を取得する構成でも実現可能である。
【００５２】
また、動作をフローチャートにて説明したが、表示制御手段の動作はプログラムとしても実現可能で、マイクロコンピュータなどを用いて実現した場合には上記の効果に加え、小型化や省電力化が期待でき、容易に携帯できる利点がある。
【産業上の利用可能性】
【００５３】
本発明の電子受講票、およびそのプログラムは、講座の開始・終了にあわせて表示項目を切り替えることができるので講座受講者の確認が容易に行うことが可能となるほか、表示内容が変更されるため偽造が困難となり、正規の受講者を区別することが可能となる。
【００５４】
また、受講に限らず、イベントにおいて表示を変更する用途に適用できる。例えば、管理端末からプログラムの情報を受信して、そのプログラムに応じて表示の言語や色、文字のフォントを切り替えることもできる。
【図面の簡単な説明】
【００５５】
【図１】本発明の実施の形態１における電子受講票のブロック図
【図２】同電子受講票の動作を説明するフローチャート
【図３】本発明の実施の形態２における同電子受講票の動作を説明するフローチャート
【図４】本発明の実施の形態３における電子受講票のブロック図
【図５】本発明の実施の形態３における電子受講票の動作を説明するフローチャート
【符号の説明】
【００５６】
１  講座管理端末
２  電子受講票
３  受信手段
４  表示制御手段
５  記憶手段
６  表示手段
７  講座表示部
８  氏名表示部
９  タイマー手段
【図１】
2007128400.tif 000003
【図２】
2007128400.tif 000004
【図３】
2007128400.tif 000005
【図４】
2007128400.tif 000006
【図５】
2007128400.tif 000007